【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
符号分割マルチアクセス２０００（ＣＤＭＡ２０００）ネットワーク内の通信システムであって、前記ＣＤＭＡ２０００ネットワークがセクタにサービスする基地局を有し、前記基地局が１つ以上の移動ターミナルに関連するデータセッションに関係するデータパケットを内部に記憶するためのキューを更に有し、前記移動ターミナルのそれぞれのデータレート制御（ＤＲＣ）が前記セクタに向けてポイントされており、前記キューがあるサイズを有し、前記通信システムが、
前記セクタに関連する前記１つ以上の移動ターミナルに送信されるべき前記キュー内に記憶されたデータパケットの量を表す前記キューサイズを受信し、前記キューサイズと所定のスレッショルドとを比較するようになっているオーバーヘッドメッセージハンドラーと、
前記キューサイズが前記所定のスレッショルドを越えたときに前記移動ターミナルの１つ以上を選択するための手段と、
選択された前記１つ以上の移動ターミナルにそれぞれのメッセージを送信する手段とを備え、前記メッセージが前記それぞれのＤＲＣを前記セクタに向けてポイントしないことを、選択された前記１つ以上の移動ターミナルに命令するようになっている通信システム。
【請求項２】
前記基地局に接続された基地局コントローラを更に備え、前記オーバーヘッドメッセージハンドラーが前記基地局コントローラ内にある、請求項１記載の通信システム。
【請求項３】
前記メッセージがＱｕｉｃｋＣｏｎｆｉｇメッセージである、請求項１記載の通信システム。
【請求項４】
前記各ＱｕｉｃｋＣｏｎｆｉｇメッセージがＤＲＣロックフィールドを含み、前記それぞれの選択された移動ターミナルのうちの前記ＤＲＣが有効でないことを表示するゼロにセットされたビットを、前記ＤＲＣロックフィールドが有する、請求項３記載の通信システム。
【請求項５】
前記各ＱｕｉｃｋＣｏｎｆｉｇメッセージが保留されたフィールドを含み、前記保留されたフィールドが前記それぞれの選択された移動ターミナルに関連したＭＡＣＩｎｄｅｘにセットされた１つ以上のビットを有する、請求項４記載の通信システム。
【請求項６】
前記移動ターミナルを選択するための前記手段が、前記選択された１つ以上の移動ターミナルを選択し、前記それぞれのデータセッションのために前記セクタを使用するのを中止するのに１つ以上のファクタを分析するようになっている移動ターミナル選択ロジックを含む、請求項１記載の通信システム。
【請求項７】
前記選択された１つ以上の移動ターミナルが前記メッセージの受信に応答し、それらのＤＲＣカバーインデックスを０にセットする、請求項１記載の通信システム。
【請求項８】
前記選択された１つ以上の移動ターミナルがそれぞれのＤＲＣを隣接するセクタに向けてポイントすることにより、前記基地局の１つ以上の隣接セクタへの仮想的ハンドオフを実行する、請求項１記載の通信システム。
【請求項９】
前記基地局が前記１つ以上の移動ターミナルに対してデータサービスしかできないデータ専用キャリアを有する高データレート（ＨＤＲ）基地局である、請求項１記載の通信システム。
【請求項１０】
セクタにサービスする基地局を備え、前記基地局が更に１つ以上の移動ターミナルに関連するデータセッションに関係するデータパケットを内部に記憶するためのキューを更に有し、前記移動ターミナルのそれぞれのデータレート制御（ＤＲＣ）が前記セクタに向けてポイントされるようになっており、前記キューがあるサイズを有し、
更に内部に前記セクタのための所定のスレッショルドを記憶するための基地局コントローラを備え、該基地局コントローラが前記基地局からの前記キューサイズを受信し、このキューサイズと所定のスレッショルドとを比較するようになっており、前記キューサイズとは前記１つ以上の移動ターミナルに送信されるべき前記キュー内に記憶されたデータパケットの量を表すものであり、前記キューサイズが前記所定のスレッショルドを越えたときに前記基地局コントローラが更に前記移動ターミナルのうちの１つ以上を選択し、それぞれのメッセージを選択された前記１つ以上の移動ターミナルへ送信し、それぞれのＤＲＣを前記セクタに向けてポイントさせないように前記選択された１つ以上の移動ターミナルに命令するようになっている、符号分割マルチアクセス２０００（ＣＤＭＡ２０００）内で負荷をシェアするための通信システム。
【請求項１１】
前記メッセージがＱｕｉｃｋＣｏｎｆｉｇメッセージである、請求項１０記載の通信システム。
【請求項１２】
前記各ＱｕｉｃｋＣｏｎｆｉｇメッセージがＤＲＣロックフィールドを含み、前記それぞれの選択された移動ターミナルのうちの前記ＤＲＣが有効でないことを表示するゼロにセットされたビットを、前記ＤＲＣロックフィールドが有する、請求項１１記載の通信システム。
【請求項１３】
前記各ＱｕｉｃｋＣｏｎｆｉｇメッセージが保留されたフィールドを含み、前記保留されたフィールドが前記それぞれの選択された移動ターミナルに関連したＭＡＣＩｎｄｅｘにセットされた１つ以上のビットを有する、請求項１２記載の通信システム。
【請求項１４】
前記選択された１つ以上の移動ターミナルが前記メッセージの受信に応答し、それらのＤＲＣカバーインデックスを０にセットする、請求項１０記載の通信システム。
【請求項１５】
前記選択された１つ以上の移動ターミナルがそれぞれのＤＲＣを隣接するセクタに向けてポイントすることにより、前記基地局の１つ以上の隣接セクタへの仮想的ハンドオフを実行する、請求項１０記載の通信システム。
【請求項１６】
前記基地局が前記１つ以上の移動ターミナルに対してデータサービスしかできないデータ専用キャリアを有する高データレート（ＨＤＲ）基地局である、請求項１０記載の通信システム。
【請求項１７】
前記基地局コントローラに関連したセクタのための所定のスレッショルドを備え、前記セクタが内部に１つ以上の移動ターミナルを有し、各ターミナルがそれぞれのデータセッションのために前記セクタに向けてそれぞれのデータレート制御（ＤＲＣ）をポイントし、前記セクタがこのセクタに関連したキューを有し、前記キューが前記データセッションに関連したデータパケットを記憶し、前記キューがあるサイズを有し、該キューサイズとは前記セクタに関連する前記１つ以上の移動ターミナルに送信されるべき前記キュー内に記憶されたデータパケットの量を表すものであり、
前記キューサイズを受信し、このキューサイズと前記所定のスレッショルドとを比較するようになっているオーバーヘッドメッセージハンドラーと、
前記キューサイズが前記所定のスレッショルドを越えたときに前記移動ターミナルのうちの１つ以上を選択し、前記選択された１つ以上の移動ターミナルに対し、前記基地局コントローラがそれぞれのメッセージを送信させるようになっている選択ロジックとを備え、前記メッセージがそれぞれのＤＲＣを前記セクタに向けてポイントしないように、前記選択された１つ以上の移動ターミナルに命令するようになっている、符号分割マルチアクセス２０００（ＣＤＭＡ２０００）ネットワーク内の基地局コントローラ。
【請求項１８】
前記メッセージがＱｕｉｃｋＣｏｎｆｉｇメッセージである、請求項１７記載の基地局コントローラ。
【請求項１９】
前記各ＱｕｉｃｋＣｏｎｆｉｇメッセージがＤＲＣロックフィールドを含み、前記それぞれの選択された移動ターミナルのうちの前記ＤＲＣが有効でないことを表示するゼロにセットされたビットを、前記ＤＲＣロックフィールドが有する、請求項１８記載の基地局コントローラ。
【請求項２０】
前記各ＱｕｉｃｋＣｏｎｆｉｇメッセージが保留されたフィールドを含み、前記保留されたフィールドが前記それぞれの選択された移動ターミナルに関連したＭＡＣＩｎｄｅｘにセットされた１つ以上のビットを有する、請求項１９記載の基地局コントローラ。
【請求項２１】
符号分割マルチアクセス２０００（ＣＤＭＡ２０００）ネットワーク内で負荷をシェアするための方法であって、
前記ＣＤＭＡ２０００ネットワークのうちのセクタのための所定のスレッショルドを記憶する工程を備え、前記セクタが１つ以上の移動ターミナルに関連するデータセッションに関係するデータパケットを記憶するためのセクタに関連するキューを有し、前記１つ以上の移動ターミナルのそれぞれのデータレート制御（ＤＲＣ）が前記セクタに向けてポイントされ、前記キューがあるサイズを有し、該キューサイズとは前記１つ以上の移動ターミナルに送信されるべき前記キュー内に記憶されたデータパケットの量を表すものであり、
前記キューサイズと前記所定のスレッショルドとを比較する工程と、
前記キューサイズが前記所定のスレッショルドを越えた場合に、それぞれのメッセージを前記移動ターミナルのうちの前記１つ以上の選択されたターミナルに送信し、それぞれのＤＲＣを前記セクタに向けてポイントしないことを前記選択された１つ以上の移動ターミナルに命令する工程とを更に備えた、負荷をシェアするための方法。
【請求項２２】
前記各メッセージがＱｕｉｃｋＣｏｎｆｉｇメッセージであり、前記メッセージを送信する前記工程が、
前記それぞれの選択された移動ターミナルの前記ＤＲＣが有効でないことを表示する０に前記ＱｕｉｃｋＣｏｎｆｉｇメッセージのＤＲＣロックフィールドのビットをセットする工程を更に含む、請求項２１記載の方法。
【請求項２３】
前記メッセージを送信する前記工程が、
前記各ＱｕｉｃｋＣｏｎｆｉｇメッセージの保留されたフィールドの１つ以上のビットを前記選択されたそれぞれの移動ターミナルに関連するＭＡＣＩｎｄｅｘにセットする工程を更に含む、請求項２２記載の方法。
【請求項２４】
前記メッセージの受信に応答し、前記選択された１つ以上の移動ターミナルの各々のＤＲＣカバーインデックスを０にセットする工程を更に含む、請求項２１記載の方法。
【請求項２５】
それぞれのＤＲＣを前記１つ以上の隣接するセクタに向けてポイントすることにより、前記選択された１つ以上の移動ターミナルによる１つ以上の隣接するセクタへの仮想的ハンドオフを実行する工程を更に含む、請求項２１記載の方法。
【請求項２６】
前記メッセージを送信する前記工程が、
前記選択された１つ以上の移動ターミナルを選択し、前記それぞれのデータセッションのために前記セクタを使用することを中止するように、１つ以上のファクタを分析する工程を更に含む、請求項２１記載の方法。